(57)【要約】 【課題】  電線が半割体の間に挟み込まれるのを防止する。【解決手段】  第１半割体２１Ａ内に曲げた状態で収容された電線１１が真っ直ぐの状態に復帰しようとしても、ガイド部３５Ａと第１ロック片３２Ａに当接するので、電線１１が第１内側屈曲部３０Ａから第１半割体２１Ａの外部へはみ出すことはない。もし、電線１１の一部がガイド部３５Ａから外れて第１半割体２１Ａの外部にはみ出しても、そのはみ出した電線１１は、第１ロック片３２Ａからも外れた状態になるので、電線１１のはみ出しを目視によって確実に把握することができる。したがって、電線１１の一部が第１内側屈曲部３０Ａから第１半割体２１Ａの外部にはみ出した状態で両半割体２１Ａ，２１Ｂ同士を合体させてしまう虞がない。【選択図】  図３
2006244766.tif 000002
【特許請求の範囲】
【請求項１】
ハウジングにおける電線の導出端部に、略Ｌ字形をなす第１と第２の２つの半割体を筒状に合体させた形態の電線カバーを取り付け、前記ハウジングから導出した前記電線を屈曲させた状態で前記電線カバー内に収容するようになっており、
前記第１半割体における内側の屈曲部の近傍には、前記第２半割体との接合面から前記第２半割体側へ突出するロック片が形成され、
前記第２半割体にはロック部が形成され、
前記ロック片が前記ロック部に係止することで、前記第１半割体と前記第２半割体が合体状態にロックされるようになっているコネクタにおいて、
前記第１半割体には、前記内側の屈曲部の近傍であって前記内側の屈曲部を挟んで前記ロック片とは反対側に配され、前記第２半割体側へ前記ロック片とほぼ同寸法だけ突出するガイド部が形成されていることを特徴とするコネクタ。
【請求項２】
前記ガイド部の突出領域が、前記ハウジングにおける前記電線の導出領域と対応する範囲に亘っていることを特徴とする請求項１記載のコネクタ。
【請求項３】
前記ガイド部が、前記内側の屈曲部を含む領域に亘って形成されていることを特徴とする請求項１又は請求項２記載のコネクタ。
【請求項４】
略Ｌ字形をなす第１と第２の２つの半割体を筒状に合体させた形態であり、ハウジングにおける電線の導出端部に取り付けられることで、前記ハウジングから導出した前記電線を屈曲させた状態で収容するようになっており、
前記第１半割体における内側の屈曲部の近傍には、前記第２半割体との接合面から前記第２半割体側へ突出するロック片が形成され、
前記第２半割体にはロック部が形成され、
前記ロック片が前記ロック部に係止することで、前記第１半割体と前記第２半割体が合体状態にロックされるようになっている電線カバーにおいて、
前記第１半割体には、前記内側の屈曲部の近傍であって前記内側の屈曲部を挟んで前記ロック片とは反対側に配され、前記第２半割体側へ前記ロック片とほぼ同寸法だけ突出するガイド部が形成されていることを特徴とする電線カバー。
【請求項５】
前記ガイド部の突出領域が、前記ハウジングにおける前記電線の導出領域と対応する範囲に亘っていることを特徴とする請求項４記載の電線カバー。
【請求項６】
前記ガイド部が、前記内側の屈曲部を含む領域に亘って形成されていることを特徴とする請求項４または請求項５に記載の電線カバー。
【発明の詳細な説明】
【技術分野】
【０００１】
本発明は、コネクタ及び電線カバーに関するものである。
【背景技術】
【０００２】
ハウジングの背面から導出させた電線を曲げて配索する場合、電線カバーが用いられ、その一例として、図６に示すように、一対の半割体１０１Ａ，１０１Ｂからなり、電線１０２を包むように両半割体１０１Ａ，１０１Ｂを合体させる形態のＬ字形をなす電線カバー１００がある。この種の電線カバー１００において２つの半割体１０１Ａ，１０１Ｂを合体状態に保持する手段としては、一方の半割体１０１Ａに他方の半割体１０１Ｂに向かって突出するロック片１０３Ａを形成し、他方の半割体１０１Ｂの外面にロック突起１０３Ｂを形成し、ロック片１０３Ａをロック突起１０３Ｂに係止させることで、両半割体１０１Ａ，１０１Ｂが離脱不能にロックされる構造をとることが可能である。  
尚、２つの半割体を合体させるＬ字形の電線カバーとしては、特許文献１などに開示されているものがある。
【特許文献１】特開２００４−３５０３４２公報
【発明の開示】
【発明が解決しようとする課題】
【０００３】
上記の電線カバー１００をハウジング１１０に組み付ける際には、まず、一方の半割体１０１Ａをハウジング１１０に取り付けた状態で、図７に示すように、その一方の半割体１０１Ａ内に電線１０２を曲げた状態で収容し、その後、他方の半割体１０１Ｂを一方の半割体１０１Ａに合体させる。  
この場合、他方の半割体１０１Ｂを合体させる前の状態において、一方の半割体内１０１Ａで曲げられた電線１０２が真っ直ぐの状態に復帰しようとするため、図７に示すように、電線１０１の一部が内側の屈曲部１０４から半割体１０１Ａの外部へはみ出す虞がある。  
この内側の屈曲部１０４は、ロック片１０３Ａのほぼ真下に配置され、しかも、ハウジング１１０の陰に隠れた状態となっているので、電線１０２がはみ出した状態を上方から目視で確認することが困難である。そのため、電線１０２が内側の屈曲部１０４から半割体１０１Ａの外部へはみ出した状態のままで他方の半割体１０１Ｂを合体させ、両半割体１０１Ａ，１０１Ｂの間で電線１０２を挟み付けてしまう虞がある。  
本発明は上記のような事情に基づいて完成されたものであって、電線が半割体の間に挟み込まれるのを防止することを目的とする。
【課題を解決するための手段】
【０００４】
上記の目的を達成するための手段として、請求項１の発明は、ハウジングにおける電線の導出端部に、略Ｌ字形をなす第１と第２の２つの半割体を筒状に合体させた形態の電線カバーを取り付け、前記ハウジングから導出した前記電線を屈曲させた状態で前記電線カバー内に収容するようになっており、前記第１半割体における内側の屈曲部の近傍には、前記第２半割体との接合面から前記第２半割体側へ突出するロック片が形成され、前記第２半割体にはロック部が形成され、前記ロック片が前記ロック部に係止することで、前記第１半割体と前記第２半割体が合体状態にロックされるようになっているコネクタにおいて、前記第１半割体には、前記内側の屈曲部の近傍であって、前記内側の屈曲部を挟んで前記ロック片とは反対側に配され、前記第２半割体側へ前記ロック片とほぼ同寸法だけ突出するガイド部が形成されているところに特徴を有する。
【０００５】
請求項２の発明は、請求項１に記載のものにおいて、前記ガイド部の突出領域が、前記ハウジングにおける前記電線の導出領域と対応する範囲に亘っているところに特徴を有する。
【０００６】
請求項３の発明は、請求項１または請求項２の発明において、前記ガイド部が、前記内側の屈曲部を含む領域に亘って形成されている構成としたところに特徴を有する。
【０００７】
請求項４の発明は、略Ｌ字形をなす第１と第２の２つの半割体を筒状に合体させた形態であり、ハウジングにおける電線の導出端部に取り付けられることで、前記ハウジングから導出した前記電線を屈曲させた状態で収容するようになっており、前記第１半割体における内側の屈曲部の近傍には、前記第２半割体との接合面から前記第２半割体側へ突出するロック片が形成され、前記第２半割体にはロック部が形成され、前記ロック片が前記ロック部に係止することで、前記第１半割体と前記第２半割体が合体状態にロックされるようになっている電線カバーにおいて、前記第１半割体には、前記内側の屈曲部の近傍であって、前記内側の屈曲部を挟んで前記ロック片とは反対側に配され、前記第２半割体側へ前記ロック片とほぼ同寸法だけ突出するガイド部が形成されているところに特徴を有する。
【０００８】
請求項５の発明は、請求項４に記載のものにおいて、前記ガイド部の突出領域が、前記ハウジングにおける前記電線の導出領域と対応する範囲に亘っているところに特徴を有する。
【０００９】
請求項６の発明は、請求項４または請求項５の発明において、前記ガイド部が、前記内側の屈曲部を含む領域に亘って形成されている構成としたところに特徴を有する。
【発明の効果】
【００１０】
＜請求項１及び請求項４の発明＞
第１半割体内に曲げた状態で収容された電線は、真っ直ぐの状態に復帰しようとしてもガイド部とロック片に当接するので、電線が内側の屈曲部から第１半割体の外部へはみ出すことはない。もし、電線の一部がガイド部から外れて第１半割体の外部にはみ出しても、そのはみ出した電線は、ロック片からも外れた状態になるので、電線のはみ出しを目視によって確実に把握することができる。したがって、電線の一部が内側の屈曲部から第１半割体の外部にはみ出した状態で両半割体同士を合体させてしまう虞がなく、両半割体の間に電線を挟みこむことを防止することができる。
【００１１】
＜請求項２及び請求項５の発明＞
ガイド部の突出領域が、ハウジングにおける電線の導出領域と対応する範囲に亘っているので、電線がガイド部から外れて第１半割体の外部へはみ出すことを確実に防止することができる。
【００１２】
＜請求項３及び請求項６の発明＞
ガイド部が、内側の屈曲部を含む領域に亘って形成されているので、ロック片とガイド部との間で電線の一部が内側の屈曲部がはみ出す虞がなく、電線の第１半割体外へのはみ出しを確実に防止することができる。
【発明を実施するための最良の形態】
【００１３】
＜実施形態１＞
以下、本発明を具体化した実施形態１を図１乃至図５を参照して説明する。本実施形態のコネクタは、複数の端子金具（図示せず）が収容されるハウジング１０と、ハウジング１０の後端部１０Ｒ（本発明の構成要件である電線１１の導出端部）に組み付けられる電線カバー２０とを備えて構成されている。  
ハウジング１０は、合成樹脂製であり、全体として方形のブロック状をなしている。ハウジング１０の後端面からは、各端子金具に固着された電線１１が後方へ導出されている。また、ハウジング１０の後端部には、電線カバー２０を係止させるための左右一対の取付部１２が形成されている。
【００１４】
電線カバー２０は、概ねＬ字形をなす合成樹脂製の第１半割体２１Ａと同じく概ねＬ字形をなす合成樹脂製の第２半割体２１Ｂとを合体したものであり、全体としても概ねＬ字形をなしている。尚、以下の半割体２１Ａ，２１Ｂの構造説明における前後、左右、上下の方向については、両半割体２１Ａ，２１Ｂを合体した状態を基準とする。
【００１５】
第１半割体２１Ａは、側方から見て概ねＬ字形をなす第１側面板２２Ａから、第１上面板２３Ａと第１下面板２４Ａと第１前面板２５Ａと第１後面板２６Ａを左方へ延出させた形態である。第１側面板２２Ａの略前半領域と第１上面板２３Ａと第１下面板２４Ａとによって第１水平半筒部２７Ａが構成され、第１側面板２２Ａの略後半領域と第１前面板２５Ａと第１後面板２６Ａとによって第１垂直半筒部２８Ａが構成されている。第１下面板２４Ａと第１前面板２５Ａと第１後面板２６Ａの突出端面は、第１接合面２９Ａ（本発明の構成要件である接合面）となっている。
【００１６】
第１上面板２３Ａの後端縁と第１前面板２５Ａの下端縁とは略直角に連なっており、この略直角に連なる部分は、第１内側屈曲部３０Ａ（本発明の構成要件である内側の屈曲部）となっている。第１下面板２４Ａの後端縁と第１後面板２６Ａの下端縁は略四半円弧状に連なっており、この略四半円弧状に連なる部分は、第１外側屈曲部３１Ａとなっている。第１前面板２５Ａの略下半分領域には第１ロック片３２Ａ（本発明の構成要件であるロック片）が形成されている。第１ロック片３２Ａは、第１前面板２５Ａの外面（前面）に沿って第１接合面２９Ａよりも左方（合体状態においては第２半割体２１Ｂ側）へ延出し、第１前面板２５Ａと略平行な方形板状をなしているとともに、第１ロック孔３３Ａを有している。第１ロック片３２Ａの後端縁部は、第１内側屈曲部３０Ａに位置する。
【００１７】
一方、第１上面板２３Ａには、ガイド部３５Ａが形成されている。ガイド部３５Ａは、第１上面板２３Ａの延出端縁を第１上面板２３Ａに対して面一状に、且つ第１接合面２９Ａよりも左方へ延出させたものであり、方形の板状をなす。左右方向において、ガイド部３５Ａの突出端面と第１ロック片３２Ａの突出端面とは、ほぼ同じ位置に配置されている。詳しくは、第１ロック片３２Ａの延出端面の方がガイド部３５Ａの延出端面よりも僅かに左方（突出端側）に位置している（図４を参照）。つまり、第１接合面２９Ａからの第１ロック片３２Ａの突出寸法と、第１接合面２９Ａを基準とするガイド部３５Ａの左方への突出寸法とは、ほぼ同じ寸法となっている。また、ガイド部３５Ａは、前後方向において第１上面板２３Ａの全領域に亘って形成されており、ガイド部３５Ａの後端縁は、第１内側屈曲部３０Ａと重なっているとともに、第１前面板２５Ａの真下に位置するように配されている。換言すると、ガイド部３５Ａは、第１内側屈曲部３０Ａを含む領域に亘って形成されていることになる。
【００１８】
また、第１後面板２６Ａと第１下面板２４Ａにも、第１ロック片３２Ａと同様の第２ロック片３６Ａと第３ロック片３７Ａが突出形成されている。さらに、第１側面板２２Ａの前端縁には、第１半割体２１Ａをハウジング１０に係止させるための第１係止部３８Ａが形成されている。第１垂直半筒部２８Ａの略上半部分の内周には、半円弧状をなす複数の嵌合リブ３９Ａと複数の嵌合溝４０Ａとが交互に形成されている。
【００１９】
第２半割体２１Ｂは、側方から見て概ねＬ字形をなす第２側面板２２Ｂから、第２上面板２３Ｂと第２下面板２４Ｂと第２前面板２５Ｂと第２後面板２６Ｂを右方へ延出させた形態である。第２側面板２２Ｂの略前半領域と第２上面板２３Ｂと第２下面板２４Ｂとによって第２水平半筒部２７Ｂが構成され、第２側面板２２Ｂの略後半領域と第２前面板２５Ｂと第２後面板２６Ｂとによって第２垂直半筒部２８Ｂが構成されている。第２下面板２４Ｂと第２前面板２５Ｂと第２後面板２６Ｂの突出端面は、第２接合面２９Ｂとなっている。
【００２０】
第２上面板２３Ｂの後端縁と第２前面板２５Ｂの下端縁とは略直角に連なっており、この略直角に連なる部分は、第２内側屈曲部３０Ｂとなっている。第２下面板２４Ｂの後端縁と第２後面板２６Ｂの下端縁は略四半円弧状に連なっており、この略四半円弧状に連なる部分は、第２外側屈曲部３１Ｂとなっている。第２前面板２５Ｂの外面（前面）における略下半分領域には、両半割体２１Ａ，２１Ｂが合体した状態で第１ロック片３２Ａの第１ロック孔３３Ａと嵌合する第１ロック突起３２Ｂ（本発明の構成要件であるロック部）が形成されている。また、第２上面板２３Ｂには、切欠部３５Ｂが形成されている。切欠部３５Ｂは、第１半割体２１Ａと第２半割体２１Ｂを合体させたときにガイド部３５Ａとの干渉を回避ために形成されており、前後方向における切欠部３５Ｂの形成領域は、ガイド部３５Ａと対応するように、第２上面板２３Ｂの全領域に亘っている。
【００２１】
第２後面板２６Ｂと第２下面板２４Ｂにも、第１ロック突起３２Ｂと同様の第２ロック突起（図示せず）と第３ロック突起（図示せず）が突出形成されている。さらに、第２側面板２２Ｂの前端縁には、第２半割体２１Ｂをハウジング１０に係止させるための第２係止部３８Ｂが形成されている。第２垂直半筒部２８Ｂの略上半部分の内周には、半円弧状をなす複数の嵌合リブ３９Ｂと複数の嵌合溝４０Ｂとが交互に形成されている。
【００２２】
次に、本実施形態の作用を説明する。  
電線カバー２０をハウジング１０に組み付ける際には、まず、ハウジング１０の後端部１０Ｒから導出されている複数本の電線１１に対して一括して包囲するように予めコルゲートチューブ４２を外嵌しておく、そして、この状態で、第１半割体２１Ａをハウジング１０の後端部に対して右側方から組み付け、第１係止部３８Ａを取付部１２に係止させる。次に、コルゲートチューブ４２の端末部を、第１垂直半筒部２８Ａの嵌合リブ３９Ａ，３９Ｂと嵌合溝４０Ａ，４０Ｂに嵌合させる。
【００２３】
そして、電線１１のうちハウジング１０の後端面とコルゲートチューブ４２との間で露出している部分は、略Ｌ字形に屈曲させて第１半割体２１Ａの第１水平半筒部２７Ａ内及び第１垂直半筒部２８Ａ内に納める。このとき、ハウジング１０の後端面と第１ロック片３２Ａ（第１前面板２５Ａ）との間では、第１上面板２３Ａが下方へ落ち込んだ形態であって、第１水平半筒部２７Ａ内に収容した電線１１の状態、即ち電線１１が第１上面板２３Ａの外部にはみ出しているか否か（換言すると、第１ロック片３２Ａのほぼ真下に位置する第１内側屈曲部３０Ａにおいて電線１１がはみ出しているか否か）を上方から目視で確認することは困難である。しかし、本実施形態では、第１上面板２３Ａを左方へ延長した形態のガイド部３５Ａを設けているので、電線１１がガイド部３５Ａの延出端から更に左方へはみ出す虞がなく、電線１１は確実に第１半割体２１Ａ内に納めておくことができ、目視による確認をせずに済む。
【００２４】
また、ガイド部３５Ａは、第１上面板２３Ａと第１前面板２５Ａとの境界である第１内側屈曲部３０Ａを含む領域に亘って形成されているので、ガイド部３５Ａの後端縁と第１ロック片３２Ａの下端縁との隙間が小さく、その隙間の寸法は電線１１の外径よりも小さい寸法とされている（図３を参照）。したがって、電線１１がガイド部３５Ａと第１ロック片３２Ａとの隙間、つまり第１内側屈曲部３０Ａにおいて第１水平半筒部２７Ａから上方へはみ出す虞もない。
【００２５】
また、本実施形態では、第１接合面２９Ａからガイド部３５Ａの延出端縁（左端縁）までの寸法は、第１接合面２９Ａから第１ロック片３２Ａの延出端縁（左端縁）までの寸法とほぼ同じ寸法となっているので、万一、電線１１がガイド部３５Ａの延出端縁よりも更に左方へはみ出しても、その電線１１は、第１ロック片３２Ａからもはみ出した状態となる。したがって、上方から見たときに、電線１１のはみ出し状態を目視によって容易に確認することができ、電線１１が第１内側屈曲部３０Ａにおいて第１半割体２１Ａの外部にはみ出したままになる虞はない。
【００２６】
この後は、第２半割体２１Ｂを第１半割体２１Ａに対して左方から接近させるようにして合体させるとともに、第２半割体２１Ｂの第２係止部３８Ｂをハウジング１０の取付部１２に係止させる。合体に際しては、第１半割体２１Ａ内の電線１１は、上述したように第１屈曲部において第１半割体２１Ａの外部にはみ出したままになっていることがないので、電線１１が両半割体２１Ａ，２１Ｂの間で噛み込まれる（挟み込まれる）虞はない。
【００２７】
両半割体２１Ａ，２１Ｂが正規の合体状態に至ると、第１半割体２１Ａの第１接合面２９Ａと第２半割体２１Ｂの第２接合面２９Ｂがほぼ面接触するように突き当たるとともに、ガイド部３５Ａの延出端面が第２半割体２１Ｂの切欠部３５Ｂの左内側面に突き当たる。また、第１ロック片３２Ａ、第２ロック片３６Ａ及び第３ロック片３７Ａが、夫々、第２半割体２１Ｂの外面に対して当接又は接近して重なった状態となり、第１ロック突起３２Ｂ、第２ロック突起及び第３ロック突起に嵌合する。このロック片３２Ａ，３６Ａ，３７Ａとロック突起３２Ｂの係止により、両半割体２１Ａ，２１Ｂの左右へ分離する方向の相対変位、及び両半割体２１Ａ，２１Ｂの合体方向に対して直角な方向（上下及び前後方向）への相対変位が規制され、両半割体２１Ａ，２１Ｂが合体状態にロックされる。以上により、ハウジング１０から導出されている複数本の電線１１を一括して包囲する筒状の電線カバー２０が構成され、電線カバー２０の内部では、ハウジング１０から水平に導出された電線１１が上方へほぼ直角に曲げられて配索され、電線カバー２０から上方へ導出された状態となる。
【００２８】
上述のように本実施形態においては、第１半割体２１Ａ内に曲げた状態で収容された電線１１が真っ直ぐの状態に復帰しようとしてもガイド部３５Ａと第１ロック片３２Ａに当接するので、電線１１が第１内側屈曲部３０Ａから第１半割体２１Ａの外部へはみ出すことはない。もし、電線１１の一部がガイド部３５Ａから外れて第１半割体２１Ａの外部にはみ出しても、そのはみ出した電線１１は、第１ロック片３２Ａからも外れた状態になるので、電線１１のはみ出しを目視によって確実に把握することができる。したがって、電線１１の一部が第１内側屈曲部３０Ａから第１半割体２１Ａの外部にはみ出した状態のままで両半割体２１Ａ，２１Ｂ同士を合体させてしまう虞がなく、両半割体２１Ａ，２１Ｂの間に電線１１を挟みこむのを防止することができる。
【００２９】
また、本実施形態では、図４及び図５に示すように、ガイド部３５Ａの突出領域が、ガイド部３５Ａの突出方向（左右方向）において、ハウジング１０における電線１１の導出領域と対応する範囲に亘っているので、電線１１がガイド部３５Ａから外れて第１半割体２１Ａの外部へはみ出すことを確実に防止することができる。
【００３０】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態ではガイド部をロック片よりもハウジングに近い側に配置したか、本発明によれば、ロック片をガイド部よりもハウジングに近い側に配置してもよい。  
（２）上記実施形態ではガイド部を板状としたが、本発明によれば、ガイド部を棒状（ピン状）や枠状としてもよい。  
（３）上記実施形態では第２半割体にガイド部との干渉を回避する切欠部を形成したが、本発明によれば、このような切欠部を形成せず、両半割体が合体した状態ではガイド部が第２半割体の内面に重なるようにしてもよい。  
（４）上記実施形態ではガイド部の形成領域が内側の屈曲部を含むようにしたが、本発明によれば、ガイド部の形成領域が内側の屈曲部を含まないようにしてもよい。
【図面の簡単な説明】
【００３１】
【図１】本実施形態の半割体を分離した状態をあらわす斜視図
【図２】ハウジングに取り付けた第１半割体に電線を収容した状態をあらわす斜視図
【図３】ハウジングに取り付けた第１半割体に電線を収容した状態をあらわす側面図
【図４】両半割体を合体させた状態をあらわす正面図
【図５】両半割体を合体させてハウジングに取り付けた状態をあらわす平面図
【図６】従来例の半割体を分離した状態をあらわす斜視図
【図７】従来例において半割体内に電線を収容した状態をあらわす側面図
【符号の説明】
【００３２】
１０…ハウジング
１１…電線
２０…電線カバー
２１Ａ…第１半割体
２１Ｂ…第２半割体
２９Ａ…第１接合面（接合面）
３０Ａ…第１内側屈曲部（内側の屈曲部）
３２Ａ…第１ロック片（ロック片）
３２Ｂ…第１ロック突起（ロック部）
３５Ａ…ガイド部
【図１】
2006244766.tif 000003
【図２】
2006244766.tif 000004
【図３】
2006244766.tif 000005
【図４】
2006244766.tif 000006
【図５】
2006244766.tif 000007
【図６】
2006244766.tif 000008
【図７】
2006244766.tif 000009